(57)【要約】【課題】内廊下式の集合住宅で給排気のショートサーキットを回避する。【解決手段】内廊下の両側に１以上の居室、ユニットバスＵＢ、インナーバルコニーＩＢを備える住戸が配置される。廊下天井空間ＨＣの右端に給気口１と給気ファン３ａが設けられ、外気を取り入れる。廊下天井空間ＨＣと、各住戸天井空間ＬＣとの間にファイヤダンパＦＤが設けられ、さらに給気ファン３ｂが設けられ、廊下天井空間ＨＣに取り入れられた外気を住戸天井空間ＬＣに送り込む。住戸天井空間ＬＣでは、ファイヤダンパＦＤと、居室の天井に設けられ換気口との間にダクトＤａが繋がれ、ダクトＤａを通じて外気が各居室に送り込まれる。各住戸には、インナーバルコニーＩＢ及びそこに付設された排気口２ｂが備えられ、排気口２ｂと、ユニットバスＵＢ等の水場の天井に設けられた換気口５との間に排気ファン４ａとダクトＤｂが繋がれ、ダクトＤｂを通じて水場の空気が屋外に排気される。【選択図】図１
2010216735.tif 000002
【特許請求の範囲】
【請求項１】
複数の住戸又は居室を有する内廊下式の建物内の換気を行う設備であって、
内廊下の天井の裏側に設けられた第１の天井裏空間と、
各住戸又は各居室の天井の裏側に設けられた第２の天井裏空間と、
屋外から前記第１の天井裏空間内に外気を取り込む給気口と、
前記第１の天井裏空間と、前記第２の天井裏空間との間に設けられ、当該第１の天井裏空間内から当該第２の天井裏空間内へ空気を送り込む通気口と、
各住戸又は各居室の天井に設けられた第１の換気口及び第２の換気口と、
前記通気口と、前記第１の換気口とを繋ぐ第１のダクトと、
各住戸又は各居室内の空気を屋外に送り出す排気口と、
前記第２の換気口と、前記排気口とを繋ぐ第２のダクトと、
を備えることを特徴とする建物換気設備。
【請求項２】
請求項１に記載の建物換気設備であって、
前記給気口を通じた外気の取り込みを促す第１の給気ファンと、
前記通気口を通じた空気の送り込みを促す第２の給気ファンと、
をさらに備えることを特徴とする建物換気設備。
【請求項３】
請求項１又は請求項２に記載の建物換気設備であって、
前記通気口は、通常は開放し、所定の温度以上を検知すると遮断するファイヤダンパ、又は、通常は開放し、所定の温度以上若しくは煙を検知すると遮断するスモークファイヤダンパである
ことを特徴とする建物換気設備。
【請求項４】
請求項１ないし請求項３のいずれか一項に記載の建物換気設備であって、
前記住戸又は居室は、前記内廊下の両側に配置され、
前記第１の天井裏空間は、両側に前記第２の天井裏空間との間の壁を有し、その壁に前記通気口を有する
ことを特徴とする建物換気設備。
【請求項５】
請求項１ないし請求項３のいずれか一項に記載の建物換気設備であって、
前記住戸又は居室は、前記内廊下の片側に配置され、
前記第１の天井裏空間は、片側に前記第２の天井裏空間との間の壁を有し、その壁に前記通気口を有する
ことを特徴とする建物換気設備。
【発明の詳細な説明】
【技術分野】
【０００１】
本発明は、内廊下式集合住宅の臭気対策に用いられる建物換気設備に関する。
【背景技術】
【０００２】
従来、多くの集合住宅では、外壁バルコニー等、各住戸の外壁側から給気及び排気を行っていた。しかし、近年増えて来たタワー型集合住宅（超高層マンション）において、特に内廊下式の場合には、住戸専有部の外壁面が少なくなって来ている。そして、外壁面全面にサッシュや窓ガラスがはめ込まれており、給排気に使用できる部分がさらに小さくなって来ている。そこで、このようなタワー型集合住宅では、外壁からセットバックした小さいバルコニーに給気口及び排気口を設けることが一般的である。なお、特許文献１には、住戸外から外気を取り入れるダクト接続部と、台所内の排気を住戸外に送り出す排気口とが同じ空間に向いている例が開示されている。
【先行技術文献】
【特許文献】
【０００３】
【特許文献１】特開２００４−３０８９９６号公報
【発明の概要】
【発明が解決しようとする課題】
【０００４】
このように給気口と排気口とを同じバルコニーに設けた場合、排気口から出た排気を給気口から吸い込んでしまうショートサーキットの問題が懸念される。これにより、インナーバルコニーから室内に導入される外気（２４時間換気、ユーティリティ換気、レンジフード換気等の給気）は、居室排気やガス給湯器の燃焼排気が混合、汚染されやすく、室内に臭気が発生する原因になる。  
特に近年普及している住戸内の２４時間換気を考えれば、ショートサーキットは、各居室の空気質を維持、確保する上で問題になる。  
本発明は、上記課題を鑑みてなされたものであり、その主たる目的は、内廊下式の集合住宅において、給排気のショートサーキットを回避することにある。
【課題を解決するための手段】
【０００５】
上記課題を解決するために、本発明は、複数の住戸又は居室を有する内廊下式の建物内の換気を行う設備であって、内廊下の天井の裏側に設けられた第１の天井裏空間と、各住戸又は各居室の天井の裏側に設けられた第２の天井裏空間と、屋外から前記第１の天井裏空間内に外気を取り込む給気口と、前記第１の天井裏空間と、前記第２の天井裏空間との間に設けられ、当該第１の天井裏空間内から当該第２の天井裏空間内へ空気を送り込む通気口と、各住戸又は各居室の天井に設けられた第１の換気口及び第２の換気口と、前記通気口と、前記第１の換気口とを繋ぐ第１のダクトと、各住戸又は各居室内の空気を屋外に送り出す排気口と、前記第２の換気口と、前記排気口とを繋ぐ第２のダクトと、を備えることを特徴とする。  
この構成によれば、内廊下の天井にある給気口と、住戸又は居室の天井にある排気口とは、異なる屋外に向いているので、給排気のショートサーキットを回避することができる。これによれば、住戸又は居室における２４時間換気のために、排気で汚染されていない新鮮な外気を導入することができる。また、内廊下の天井が当該内廊下と遮断されているので、内廊下の空調に対して影響を与えないし、内廊下の温熱環境からの影響も受けない。
【０００６】
また、本発明は、建物換気設備であって、前記給気口を通じた外気の取り込みを促す第１の給気ファンと、前記通気口を通じた空気の送り込みを促す第２の給気ファンと、をさらに備えることを特徴とする。  
この構成によれば、確実に換気を行うことができる。
【０００７】
また、本発明は、建物換気設備であって、前記通気口が、通常は開放し、所定の温度以上を検知すると遮断するファイヤダンパ、又は、通常は開放し、所定の温度以上若しくは煙を検知すると遮断するスモークファイヤダンパであることを特徴とする。  
この構成によれば、火災が発生した際に、延焼を防止することができる。
【０００８】
また、本発明は、建物換気設備であって、前記住戸又は居室が、前記内廊下の両側に配置され、前記第１の天井裏空間が、両側に前記第２の天井裏空間との間の壁を有し、その壁に前記通気口を有することを特徴とする。
【０００９】
また、本発明は、建物換気設備であって、前記住戸又は居室が、前記内廊下の片側に配置され、前記第１の天井裏空間は、片側に前記第２の天井裏空間との間の壁を有し、その壁に前記通気口を有することを特徴とする。
【００１０】
その他、本願が開示する課題及びその解決方法は、発明を実施するための最良の形態の欄、及び図面により明らかにされる。
【発明の効果】
【００１１】
本発明によれば、内廊下式の集合住宅において、給排気のショートサーキットを回避することができる。
【図面の簡単な説明】
【００１２】
【図１】内廊下の両側に住戸があるマンションにおいて換気を実施するための設備の構成を示す平面図である。
【図２】内廊下の両側に住戸があるマンションにおいて換気を実施するための設備を示す図であり、（ａ）は換気設備の構成の断面図を示し、（ｂ）は換気設備の構成の側面図を示す。
【図３】当該設備の一つであるファイヤダンパＦＤの模式図（側面図）を示し、（ａ）は空気を通すファイヤダンパＦＤの状態を示し、（ｂ）は空気を遮断するファイヤダンパＦＤの状態を示す。
【図４】センタコア型で吹き抜け部のあるマンションにおいて換気を実施するための設備の構成を示す平面図である。
【図５】換気設備の構成を示す側断面図である。
【発明を実施するための形態】
【００１３】
以下、図面を参照しながら、本発明を実施するための最良の形態を説明する。本発明の実施の形態に係る建物換気設備は、外気を給気口から内廊下（共用部分）の天井裏空間に取り込み、内廊下の天井裏空間から住戸（専有部分）の天井裏空間へ通気口経由で空気を送り込み、ダクト及び換気口を通じて住戸内に空気を送り込み、さらに住戸内の空気を換気口、ダクト及び排気口を通じて屋外に送り出すものである。これによれば、屋外への排気を給気することがないので、臭気が発生することがない。また、内廊下とは遮断された天井を用いるので、内廊下の熱環境からの影響を受けないし、内廊下の熱環境に影響を与えることもない。
【００１４】
なお、マンションの内廊下には天井裏があり、その内廊下の天井裏が各住戸の天井裏まで続く構造になっているので、この構造を利用して、建物換気設備を実現することができる。
【００１５】
以下では、第１の実施の形態と、第２の実施の形態とに分けて、建物換気設備について説明する。
【００１６】
≪第１の実施の形態：設備の構成と機能≫
図１は、内廊下の両側に住戸があるマンションにおいて換気を実施するための設備の構成を示す平面図である。図２は、図１のマンションにおいて換気を実施するための設備を示す図である。図２（ａ）は、当該設備の構成の断面図を示す。図２（ｂ）は、当該設備の構成の側面図を示す。図１及び図２を参照して、建物換気設備の構成及び機能を説明する。
【００１７】
各図に示すように、内廊下の両側に住戸が配置され、各住戸は１以上の居室、ユニットバスＵＢ及びインナーバルコニーＩＢを備えている。また、図１の例では、内廊下の図中右側部分を挟んで両側にそれぞれ階段及びエレベータＥＶが設けられ、さらに内廊下の図中左端部にゴミ置場ＧＰが設けられている。
【００１８】
内廊下の天井裏空間である廊下天井空間ＨＣは、外気を取り入れて各住戸及びゴミ置場ＧＰに送り込むための外気チャンバ（仕切られた空間）として利用される。図１の例では、廊下天井空間ＨＣの図１中右端面の建物外壁面に給気口１が設けられ、給気ファン（送風機）３ａにより、外気を給気口１から廊下天井空間ＨＣ内に取り込むようになっている。廊下天井空間ＨＣと、各住戸の天井裏空間である各住戸天井空間ＬＣとの間にファイヤダンパＦＤが設けられている。また、住戸天井空間ＬＣ側に給気ファン３ｂが設けられ、廊下天井空間ＨＣに取り入れられた外気を住戸天井空間ＬＣに送り込む。住戸天井空間ＬＣでは、ファイヤダンパＦＤと、住戸内居室の天井ＣＥに設けられた換気口５との間にダクトＤａが繋がれ、ダクトＤａを通じて各居室に外気が送り込まれる。また、廊下天井空間ＨＣと、ゴミ置場ＧＰとの間にもファイヤダンパＦＤが設けられ、廊下天井空間ＨＣに取り入れられた外気をゴミ置場ＧＰに送り込むようになっている。
【００１９】
各住戸には、インナーバルコニーＩＢ及びインナーバルコニーＩＢに臨むように住戸天井空間ＬＣの端部に設けられた排気口２ｂが備えられる。排気口２ｂと、ユニットバスＵＢ等の水場の天井ＣＥ等に設けられた換気口５との間に排気ファン４ａ及びダクトＤｂが繋がれ、ダクトＤｂを通じて水場の空気が屋外に排気される。なお、居室から水場への空気の移動は、例えば、ドアの下にあるアンダーカット等を通じて行われる。また、ゴミ置場ＧＰの左端には、排気口２ａ及び排気ファン４が設けられ、排気ファン４により排気口２ａを通じてゴミ置場ＧＰ内の空気が屋外に排気される。
【００２０】
なお、廊下天井空間ＨＣと、各住戸及びゴミ置場ＧＰとは、防火区画（防火壁）により仕切られる。ファイヤダンパＦＤは、通常は空気の出入りが自由になるように開放されているが、所定値以上の温度を検知すると、空気の流れを遮断するように閉じられる。換言すれば、通常時には唯一の空気の通り道であり、温度が上がった時、例えば、火災が発生した時には延焼を防ぐ防火壁になる。また、廊下天井空間ＨＣと、内廊下との間は、空気の出入りができないようになっている。これは、屋外に開放されていない内廊下内と、廊下天井空間ＨＣとの間で空気が出入りしないようにすることで、内廊下の熱環境が外気の影響を受けたり、廊下天井空間ＨＣに取り込まれた外気が内廊下の影響を受けたりするのを最小限に抑えるためである。
【００２１】
さらに、本実施形態の換気設備について詳細に説明する。図３は、当該設備の一つであるファイヤダンパＦＤの模式図（側面図）を示す。廊下天井空間ＨＣと、各住戸及びゴミ置場ＧＰとの間には隔壁が設けられ、その隔壁の一部にファイヤダンパＦＤが設けられる。ファイヤダンパＦＤは、回転板になっており、通常は、図３（ａ）に示すように水平になることで開放され、空気の出入りを自由にしているが、温度が所定値（例えば、７２℃）以上になると、ヒューズが溶け、図３（ｂ）に示すように垂直になって、閉じることで空気の出入りを遮断する。なお、熱だけでなく煙を感知しても閉じるスモークファイヤダンパＳＦＤも同様の仕組みである。
【００２２】
以上の構成によれば、空気の流れは、屋外→給気口１→廊下天井空間ＨＣ→ファイヤダンパＦＤ→ダクトＤａ→換気口５→居室→水場→換気口５→ダクトＤｂ→排気口２ｂ→屋外となって、住戸内の換気がなされる。そして、給気口１は、排気口２ｂが設けられる住戸から離れた位置にあるため、給排気のショートサーキットが発生することなく、住戸内の換気を行うことができる。
【００２３】
≪第２の実施の形態：設備の構成と機能≫
図４は、中央部にコアを備え、このコアを囲むように設けられた内廊下の片側に住戸があるマンションにおいて換気を実施するための設備の構成を示す平面図である。図４に示すように、中央に構造物としてコアＣが設けられ、コアＣの周囲に吹き抜け部６が設けられ、吹き抜け部６の周囲に壁を挟んで内廊下及び廊下天井空間ＨＣが設けられる。そして、内廊下の周囲（片側）には、壁を挟んで各住戸が配置され、また、２組のエレベータＥＶ及び階段が設けられる。
【００２４】
吹き抜け部６と、廊下天井空間ＨＣとの間の壁の２箇所にスモークファイヤダンパＳＦＤ付きの給気口１ｂが設けられ、廊下天井空間ＨＣと、住戸天井空間ＬＣとの間の壁の通気口にはファイヤダンパＦＤが設けられる。各住戸には、インナーバルコニーＩＢが備わり、インナーバルコニーＩＢに排気口２が設けられる。ここで、図示しないが、図１と同様に、ファイヤダンパＦＤと、住戸内居室の天井に設けられた換気口５との間にダクトＤａが繋がれ、排気口２ｂと、ユニットバスＵＢ等の水場の天井ＣＥ等に設けられた換気口５との間にダクトＤｂが繋がれているものとする。
【００２５】
なお、給気口１ｂ及びファイヤダンパＦＤには、空気の取り込みを促す給気ファンが付設されていてもよい。また、排気口２には、空気の送り出しを促す排気ファンが付設されていてもよい。
【００２６】
図５は、本実施形態の換気設備の構成を示す側断面図である。図５に示すように、建物の所定の高さ位置に設けられた給気口１ａから取り込んだ外気を吹き抜け部６に送り込むダクトＤが設けられる。そして、吹き抜け部６に送り込まれた外気は、上昇し、各階にある給気口１ｂを通じて廊下天井空間ＨＣに取り込まれる。なお、第１の実施の形態と同様に、廊下天井空間ＨＣと、内廊下との間は遮断され、空気の出入りができないようになっており、これにより、屋外に開放されていない内廊下内の空気を取り込まないようにすることで、内廊下の外気による熱環境の影響を最小限に抑えるようになっている。
【００２７】
吹き抜け部６の外気は、スモークファイヤダンパＳＦＤ付きの給気口１ｂ→廊下天井空間ＨＣ→ファイヤダンパＦＤ→ダクトＤａ→換気口５→居室→水場→換気口５→ダクトＤｂ→排気口２を通って、インナーバルコニーＩＢに放出される。
【００２８】
以上説明した本発明の第１及び第２の実施の形態によれば、インナーバルコニーＩＢから室内への外気導入を行うことなく、内廊下の天井を外気チャンバ（他から遮断された空間）とし、そこへ屋外から新鮮な外気を導入する。これにより、専有部分（居住空間）における２４時間換気を目的に導入される外気を排気で汚染されていないものとすることができる。そして、内廊下の天井を外気チャンバとし、内廊下と仕切ることにより、内廊下の外気による熱環境の影響を最小限に抑えることができる。また、ガス熱源の集合住宅にある小さいバルコニーにガス給湯器を設置していても、そのガス給湯器から出る燃焼排気ガスを室内に吸引することがなくなる。
【００２９】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００３０】
（１）上記実施の形態では、本発明をマンションに適用した例を示したが、複数の住戸又は居室からなる建物であればよく、例えば、ホテルや、老人ホーム、独身寮等にも適用することができる。  
（２）上記実施の形態では、インナーバルコニーＩＢへの排気口２ｂが、住戸の天井裏空間の端部に設けられているものとしたが、排気口が天井より下、すなわち、住戸空間の上部（例えば、サッシュの上側部分）に設けられてもよい。
【符号の説明】
【００３１】
１、１ａ、１ｂ  給気口
２、２ａ、２ｂ  排気口
３、３ａ、３ｂ      給気ファン
４、４ａ、４ｂ      排気ファン
５      換気口
６      吹き抜け部
Ｄａ    ダクト（第１のダクト）
Ｄｂ    ダクト（第２のダクト）
ＣＥ    天井
ＦＤ    ファイヤダンパ
ＩＢ    インナーバルコニー
ＨＣ    廊下天井空間（第１の天井裏空間）
ＬＣ    住戸天井空間（第２の天井裏空間）
ＳＦＤ  スモークファイヤダンパ
【図１】
2010216735.tif 000003
【図２】
2010216735.tif 000004
【図３】
2010216735.tif 000005
【図４】
2010216735.tif 000006
【図５】
2010216735.tif 000007